【手続補正書】
【提出日】平成17年11月18日(2005.11.18)
【手続補正１】
【補正対象書類名】明細書
【補正対象項目名】００１３
【補正方法】変更
【補正の内容】
【００１３】
更にまた、本発明を構成する前記薄い可撓性部材は、フィルム状シート材又はチューブ状シート材であることが好ましく、また前記周側壁及び底部は、チューブ状シート材で形成し、この底部又は／及び周側壁に所定量の空気を封入しておくことが好ましい。
このように構成した簡易トレーにおいては、薄い可撓性部材がフィルム状シート材又はチューブ状シート材であることから、プラスチック材料がこれまでの発砲スチロール製のトレーに比べても極端に少なく、例えば３分の１〜１０分の１にも減少できる。そのため資源の節約、運搬時の扱いは簡単になり、保管時のスペースをとらず、また使用材料の量が格段に少なくなるために廃棄処分、特に公害の発生をなくすことができ環境に優しくなる。また、フィルム状シート材又はチューブ状シート材は、折り畳み加工等が極めて容易であり、必要に応じて空気孔等の形成も簡単に出来る。更にシート材には、カラーを含め任意の印刷も簡単にでき、収納物の種類に応じて種々の表示が可能となる。更にまた、周側壁及び底部をチューブ状シート材で形成し、この底部又は／及び周側壁に所定量の空気を封入することにより、底部及び周側壁を緩衝壁として利用できる。このため、簡易トレー１個乃至複数個を木箱又はダンボール箱に詰めると、簡易トレーの底部及び周側壁が緩衝壁として機能するので、収納物を傷つけることがなくなる。
【手続補正２】
【補正対象書類名】明細書
【補正対象項目名】００１８
【補正方法】変更
【補正の内容】
【００１８】
前記簡易トレーは、用途に応じて収納物が飛散しないように、或いは簡易トレーの持ち運びを容易にする必要がある。図４、５に示す簡易トレーは、この観点から工夫されたものである。すなわち、図４は、本発明の簡易トレーの第３実施形態を示し、同図（ａ）は蓋体を開いた状態を示す斜視図、同図（ｂ）は蓋体を閉じた状態を示す斜視図であって、この簡易トレー１Ｂは、前記第１実施形態における簡易トレー１の周側壁３の第１周側壁４を延長し、この延長した側壁４ａを途中から折り曲げ蓋体として利用したものである。また、図５は、本発明の第４実施形態である簡易トレーの斜視図であって、同図（ａ）は、前記第１実施形態の簡易トレー１Ｃの第１周側壁４と第２周側壁５の双方を延長し、延長した部分４ａ、５ｂを分離して置き、同図（ｂ）のようにその延長した部分４ａ、５ｂを点線１０ａ、１０ｂの付近から屈曲し接合し、例えば、手提げ部として利用するものである。
【手続補正３】
【補正対象書類名】明細書
【補正対象項目名】００１９
【補正方法】変更
【補正の内容】
【００１９】
前記簡易トレー１及び１Ａ〜１Ｃは、何れも薄い可撓性部材で形成されるため柔軟性を有し、任意の形状に折り畳みが可能であって、保管及び持ち運び等が容易であるが、用途によっては、トレーの形状が変形し過ぎて不都合な場合がある。図６、７は、この点に着眼して工夫されたもので、図６は、第５実施形態を示す簡易トレーの斜視図、図７は、第６実施形態を示す簡易トレーの斜視図である。
図６に示す簡易トレー１Ｄは、前記第１実施形態における第１周側壁４と第２周側壁５からなる周側壁３の上方の周りに、補強部材１１ａ、１１ｂを設けたものである。この補強部材１１ａ、１１ｂは、所定の長さ、幅及び厚さを有する厚紙、板材等を使用し、この厚紙等を側壁３の周りに固定したものである。その固定法は、厚紙等を第１、２側壁に適宜の固着手段を用いて固定する。また、各側壁１，２の端部を一部折り曲げ、その間に厚紙等を間に挟み込んで固定してもよい。更に、厚紙等を使用しないで補強することもできる。図７に示す簡易トレー１Ｅは、周側壁３の上方を延長して、その延長した部分を所定の幅で幾重にも折返し、この折返した部分１２ａ、１２ｂを溶着等に一体化し、補強部材としたものである。このような補強部材を周側壁３に設けることによって、簡易トレーの周側壁３の上方部は補強され、開口部６が開いた状態に維持され、物品の収容が一層容易になると共に、型崩れも無くすることができる。
【手続補正４】
【補正対象書類名】明細書
【補正対象項目名】００２０
【補正方法】変更
【補正の内容】
【００２０】
図８は、前記簡易トレーの使用例を示したもので、トレー内に中敷を挿入した斜視図である。同図（ａ）は中敷の斜視図、同図（ｂ）は簡易トレーの斜視図、同図（ｃ）は簡易トレーに中敷が挿入された状態を示す斜視図である。
前記簡易トレーは、薄い可撓性部材で形成されることから型崩れし易い。この対策として、簡易トレー内に所定の厚みを有した中敷を挿入することによって型崩れをなくすることもできる。
中敷１３は、所定の厚さ及び簡易トレーの底部とほぼ同一の形状有し、所定の材料で形成されている。材質は、簡易トレーへの収納物に合わせて選定される。例えば魚、肉等の生鮮食料品の場合には、木材等で形成されたものを使用すると、木材等が魚、肉等から滲み出る汁をある程度吸収し商品価値を高めることができる。
この中敷１３を簡易トレーの開口部から底部２へ押し込む。押し込まれた状態が図８（ｃ）に示されている。
中敷１３が底部に載置されることによって、薄い可撓性部材からなる簡易トレー
１の形状が保たれる。
【手続補正５】
【補正対象書類名】明細書
【補正対象項目名】００２２
【補正方法】変更
【補正の内容】
【００２２】
図１０は、第７実施形態を示し、この簡易トレー１０Ａは、所定の形状を有する底部２０と、この底部２０の外周縁から複数に分割されて延び所定の高さを有する周側壁片２１ａ〜２１ｄとを備え、各周側壁片２１ａ〜２１ｄの隣接する周側壁片の側縁が互いに接合シールされ、接合シール部２３ａ〜２３ｄがトレー１０Ａの外に位置しているものである。
また、図１１に示す簡易トレー１０Ｂは、前記簡易トレー１０Ａの接合シール部２３ａ〜２３ｄを簡易トレー内に位置させてものである。他の構成は簡易トレー１０Ａと同じである。
これらの簡易トレー１０Ａ及び１０Ｂは、以下の製法で作られる。
図１２は、簡易トレー１０Ａ、１０Ｂを製作するシート材であって、このシート材には、所定の幅及び長さを有する薄い可撓性部材、例えばフィルム状シート材、又はチューブ状シート材が用いられる。このシート材を、そのほぼ中央部に所定形状、例えば矩形状の底部２０を定め、この矩形状底部２０の四隅から外周の角部に向って切り込みを入れ、周側壁を所定の大きさの側壁片２１ａ〜２１ｄに４分割する。次いで、各側壁片の端縁に所定長さの折込みを設け、この折込み縁を互いに接合しシールする。そして、接合シール部分２３ａ〜２３ｄを図１０に示すようにトレー１０Ａの外に位置させる。また、図１１に示すように、トレー１０Ｂ内に位置させることもできる。接合シール部分２３ａ〜２３ｄを図１１に示すようするには、図１０に示す簡易トレー１０Ａを内外へひっくり返すことにより、接合シール部を内側へ持ってくることができる。また、前記切り込みを設けることなく、この部分を単に折込み、この折込み部分を接合シールしてもよい。
【手続補正６】
【補正対象書類名】明細書
【補正対象項目名】００２３
【補正方法】変更
【補正の内容】
【００２３】
前記簡易トレー１０Ａ及び１０Ｂは、薄い可撓性部材に切り込み或いは折込みを入れたものであるが、隅部を一部削除して形成しても製作できる。図１３は、薄い可撓性部材の隅部からほぼ三角形状の細片２３ａ'〜２３ｄ'を削除したシート材である。このシート材を使用し、図１４、１５に示す簡易トレー１０Ｃ、１０Ｄを製作する。その製法は、前記トレー１０Ａ、１０Ｂとほぼ同じ方法で作る。
【手続補正７】
【補正対象書類名】明細書
【補正対象項目名】００２７
【補正方法】変更
【補正の内容】
【００２７】
また、簡易トレーは、フィルム状シート材又はチューブ状シート材で作られることから、プラスチック材料がこれまでの発砲スチロール製のトレーに比べても極端に少なく、例えば３分の１〜１０分の１にも減少できる。そのため資源の節約、運搬時の扱いは簡単になり、保管時のスペースをとらず、また使用材料の量が格段に少なくなるために廃棄処分、特に公害の発生をなくすことができ環境に優しくなる。また、フィルム状シート材又はチューブ状シート材は、折り畳み加工等が極めて容易であり、必要に応じて空気孔等の形成も簡単に出来る。更にシート材には、カラーを含め任意の印刷も簡単にでき、収納物の種類に応じて種々の表示が可能となる。更にまた、周側壁及び底部をチューブ状シート材で形成し、この底部又は／及び周側壁に所定量の空気が封入することにより、底部及び周側壁を緩衝壁として利用できる。このため、簡易トレー１個乃至複数個を木箱又はダンボール箱に詰めると、簡易トレーの底部及び周側壁が緩衝壁として機能するので、収納物を傷つけることがなくなる。